(57)【要約】【課題】各種の品物と結合して其々違った利用性が簡易に完成でき、歯固めにおける多機能な使用への強化及び品物の応用効果が向上する多用途使用できる歯固めの構造を提供する。【解決手段】一種の多用途使用できる歯固めの構造であり、それは軟質のシリコンで作られた歯固めを以って、その表面に浮き突出状の、或いは窪んだ立体の模様を形成させて、また内部の中心の位置に適当な規格のある中孔を設置することにより、歯固めが中孔の弾性拘束との働きを利用して幼児の常用する品物の主体の外周または適当な位置と合せて、それを被せて偏移しないように固着に組立できる。【選択図】図1
0003124743.tif 000002
【実用新案登録請求の範囲】
【請求項１】
一種の多用途使用できる歯固めの構造であり、それは軟質のシリコンで作られた歯固めを以って、その表面に浮き突出状の、或いは窪んだ立体の模様を形成させて、また内部の中心の位置に適当な規格のある中孔を設置することにより、歯固めを独立に使用可能にさせたり、中孔の持つ弾性拘束の働きを利用して幼児の常用する品物の主体の外周または適当な位置に合せて、偏移しない固着で組立てる応用さも派生でき、簡易に各種の品物と結合して其々違う利用性が完成できるため、歯固めの多機能な使用への強化及び品物の応用効果への向上など実用的な目的を実現させたものである。
【請求項２】
請求項1に記載したような、多用途使用できる歯固めの構造であり、その中において、歯固めの中孔の寸法を、注射器式の薬飲ませる器の筒体の外周にある孔径に係合して固めに被せるように設計して、歯固めの唇を遮る働きを利用して薬飲ませる器を一層快適で安全に使用できる応用目的を実現したものである。
【請求項３】
請求項1に記載したような、多用途使用できる歯固めの構造であり、その中において、歯固めの中孔の寸法を、哺乳瓶の瓶口の孔径に被せて合わせるように設計してから哺乳瓶の蓋による固縛で歯固めの固着を完成させると歯固めの有する滑り抵抗を利用して幼児が安定に瓶を手に取る効果を提供するものである。
【請求項４】
請求項1に記載したような、多用途使用できる歯固めの構造であり、その中において、歯固めの中孔の寸法を、哺乳瓶の胴の孔径に係合して固めに被せるように設計して、このような結合応用によって哺乳瓶の底部の重量が増えることで、空瓶状態の哺乳瓶が傾倒したり衝突したりし難くなってガラスの哺乳瓶を使用する安全さを高める目的を実現したものである。
【請求項５】
請求項1に記載したような、多用途使用できる歯固めの構造であり、その中において、歯固めの外観・形状は任意の幾何形状の構造状態であってもよいものである。
【請求項６】
請求項1に記載したような、多用途使用できる歯固めの構造であり、その中において、歯固めの外観・形状はアニメ造形の模様または可愛い品物の形状であってもよいものである。
【請求項７】
請求項1に記載したような、多用途使用できる歯固めの構造であり、その中において、歯固めの外観・形状は一個以上の模様または集めて一つにする物形からなるものであってもよいものである。
【考案の詳細な説明】
【技術分野】
【０００１】
本考案の多用途使用できる歯固めの構造とは、シリコンで一体に製作して表面に窪んだ形状または浮き突出状の模様のある歯固めであり、そして適当なサイズの中孔の寸法を以って幼児の常用の品物に合せて固めに係合して被せるように固縛してから常用の品物と結合して各種の応用を完成させると、歯固めのより広い使用効果が提供できる一方、応用効果の向上も増進できる技術分野である。
【背景技術】
【０００２】
よって、普通として幼児が成長していく過程において、必ず乳歯が生えそろう頃、歯が痒い段階を経るため、幼児の歯が痒くなるとよく思わずに如何なるものでも噛みたがることになる(特に身の回りにあって直ぐに手に取れるような品物)。親たちの不注意で常に幼児が不当な品物を誤って噛むことで危険をもたらすことになる。そこでこの種のトラブルや問題を改善するため、市販されている歯固めには固体形態と液体形態との違った型式の歯固めの構造があって幼児に安全性のある噛み機能を提供するのである。その中において、固体形態の歯固めは軟質のシリコンを使って型で製作することによって直接に所定の形状の歯固めを形成させるものであり、液体形態の歯固めは軟質のシリコンを使って中に受容スペースのある薄膜体を製作してから薄膜体の受容スペースに80%〜90%の比例の水を入れると、水の液体が受容スペースの余った空間内で流動効果を生じさせる液体形態の歯固めになるのであり、このような二種類の違った型式の歯固めを選択に供することができるし、更に軟質シリコンの持つ柔らかい撓み性を利用して噛むとき快適になる一方、変形しない使用効果を収めるのである。
【考案の開示】
【考案が解決しようとする課題】
【０００３】
イ、前記の従来知られた歯固めの構造では固体形態または液体形態の構造に問わず、構造・成型の上では只幼児の手に取る利便さを考えて作ったり幼児の注意をひきつけるために可愛い造形にしたりしたものだけであるので、常に不意または不注意で幼児に捨てられることになるのである。それは歯固めが汚くなることをもたらす外、更に肉眼で見えない細菌がっいたら病気の種になるので実に親たちがおろそかにしがちのところである。
ロ、幼児が気のままに捨てたり親たちが妥当にしまっていなかったりするため、従来の歯固めはよく紛失になったりすることをもたらし、繰り返した購買による経済的浪費が問題になる一方、即時に幼児の使用に提供できる利便さに乏しいため、幼児がよくなき騒ぎ出すという欠点をもたらす。
ハ、軟質シリコンは噛まれると変形が起こらなくても万が一、鋭い物に接触したりすると気づきにくい破損が生じやすくなり、液体形態の歯固めの場合はそれによって漏洩になって幼児が水の液体を飲んだり水の液体が漏れたりするトラブルをもたらしやすいのである。
【課題を解決するための手段】
【０００４】
イ、本考案では歯固めの中孔の相違の規格を利用して成型させるため、中孔による拘束固定を通して任意に幼児が常用する品物に結合して使用できるため、歯固めの応用機能を一層多様化にさせながら実用効果を高めるのである。
ロ、本考案の構造では有効に各種の応用への組合わせを利用して歯固めが幼児に噛まれるとの単一の使用効果を提供するだけではなく、更に結合固定によって当該品物の使用機能を向上させることもできるので一層実用性を有するものになる。
【考案を実施するための最良の形態】
【０００５】
まず図1、図2、及び図3に示した説明を参考ください。本考案の構造では、軟質のシリコンで作られた歯固め2を以って、その表面に浮き突出状の、或いは窪んだ立体の模様21を形成させて、また内部の中心の位置に適当な規格のある中孔22を設置することにより、歯固め2を中孔22の弾性拘束との働きによって、注射器式の薬飲ませる器3の筒体31の外周に合せて、注射口32に近い適当の位置において、偏移しない固縛で組立てる応用が派生できると、簡易に注射器式の薬飲ませる器3との結合による利用性が完成できる。それは幼児Pに噛む効果を提供するほか(図3に示したのを参考)、更に歯固め2の唇を遮る作用を利用して幼児の口腔P1に薬飲ませる器3が含まれる場合、その注射口32が幼児の不快または吐き気を催すほど口腔P1の内縁まで伸びすぎることなく、安全に薬を飲ませる応用目的に達成した(詳細は図2を参考)。
【０００６】
更に、図4、図4-A及び図5の説明に示したように、本考案において、歯固め2の中孔23をより大きい形状に設計すると、歯固め2は中孔23の弾性拘束作用を利用して哺乳瓶4の瓶口41の下縁に被せて固定になり、また哺乳瓶4の蓋42で締め付けて歯固め2を哺乳瓶4の蓋42の下縁の位置に固定でき(図4に示したのを参考)、そうすると幼児Pが直接に手P2で歯固め2を保持して歯固めの滑り抵抗性によって哺乳瓶4を安定に保持できる使用効果が生じ(直接瓶を保持することよりはるかに安定になる。使用の詳細は図4Aを参考)、歯固め2が中孔23の弾性拘束という働きを利用して哺乳瓶4の胴43の下縁の位置に被せて固定すると、この結合応用によって哺乳瓶4の底部の重量が増えるため、空瓶状態の哺乳瓶4が傾倒したりすることがなくなり、たとえ不注意に傾倒しても胴43へ衝突しない保護作用が提供できるのでガラスの哺乳瓶を使用する場合の安全性が向上できるのである(図5に示したのを参考)。
【０００７】
前記に述べたように、確かに本考案では歯固めを幼児の常用物と組合せて応用することによって歯固めの使用機能を増加させながら品物の使用にあたる実用効果を高めて一層多用途に応用できる便利性を有するため、明らかに本考案は従来の歯固めの構造より一層進歩性を有することが分かる。
【図面の簡単な説明】
【０００８】
【図１】本考案の構造における立体成型図である。
【図２】本考案の構造と薬飲ませる器との結合による使用のイメージ図である。
【図３】本考案の構造は歯固めとして噛まれるイメージ図である。
【図４】本考案の構造を哺乳瓶の瓶口に固着したイメージ図である
【図４Ａ】本考案は哺乳瓶の瓶口に固着したまま使用されるイメージ図である
【図５】本考案の構造を哺乳瓶の胴に固着したイメージ図である
【符号の説明】
【０００９】
(2)  歯固め
(21)  立体模様
(22)  中孔
(23)  大きい中孔
(3)  注射器式薬飲ませる器
(31)  筒体
(32)  注射口
(P)  幼児
(P1)  口腔
(P1)  手
(4)  哺乳瓶
(41)  瓶口
(42)  蓋
(43)  胴
【図１】
0003124743.tif 000003
【図２】
0003124743.tif 000004
【図３】
0003124743.tif 000005
【図４】
0003124743.tif 000006
【図４Ａ】
0003124743.tif 000007
【図５】
0003124743.tif 000008
【手続補正書】
【提出日】平成18年6月27日(2006.6.27)
【手続補正１】
【補正対象書類名】実用新案登録請求の範囲
【補正対象項目名】全文
【補正方法】変更
【補正の内容】
【実用新案登録請求の範囲】
【請求項１】
軟質のシリコンで作られた歯固めであって、その表面に突出状の或いは窪み状の立体模様を形成させ、また中心位置に適当な規格の中孔を形成し、該中孔を幼児の常用する品物の主体の外周または適当な位置に弾性的に固着するように構成したことを特徴とする多用途使用できる歯固め。
【請求項２】
上記幼児の常用する品物が、注射器式の薬を飲ませる器であって、その筒体の外周に上記中孔を係合せしめて、弾性的に固着するように構成したことを特徴とする請求項１に記載の多用途使用できる歯固め。
【請求項３】
上記幼児の常用する品物が哺乳瓶であって、その瓶口の孔径に上記中孔を係合せしめて、哺乳瓶の蓋により固着するように構成したことを特徴とする請求項１に記載の多用途使用できる歯固め。
【請求項４】
上記幼児の常用する品物が哺乳瓶であって、その胴の孔径に上記中孔を係合せしめて、哺乳瓶に固着するように構成したことを特徴とする請求項１に記載の多用途使用できる歯固め。
【請求項５】
外観・形状が任意の幾何形状の構造であることを特徴とする請求項１に記載の多用途使用できる歯固め。
【請求項６】
外観・形状がアニメ造形の模様または形状であることを特徴とする請求項１に記載の多用途使用できる歯固め。
【請求項７】
外観・形状が一個以上の模様からなることを特徴とする請求項１に記載の多用途使用できる歯固め。
【手続補正３】
【補正対象書類名】明細書
【補正対象項目名】０００１
【補正方法】変更
【補正の内容】
【０００１】
本考案の多用途使用できる歯固めは、シリコンで一体に製作して表面に窪んだ形状または浮き突出状の模様のある歯固めであり、そして適当なサイズの中孔の寸法を以って幼児の常用の品物に合せて固めに係合して被せるように固着してから常用の品物と結合して各種の応用を完成させると、歯固めのより広い使用効果が提供できる一方、応用効果の向上も増進できる。
【手続補正４】
【補正対象書類名】明細書
【補正対象項目名】０００２
【補正方法】変更
【補正の内容】
【０００２】
普通、幼児が成長していく過程において、必ず乳歯が生えそろう頃、歯が痒い段階を経るため、幼児の歯が痒くなるとよく思わずに如何なるものでも噛みたがることになる(特に身の回りにあって直ぐに手に取れるような品物)。親たちの不注意で常に幼児が不当な品物を誤って噛むことで危険をもたらすことになる。そこでこの種のトラブルや問題を改善するため、市販されている歯固めには固体形態と液体形態との違った型式の歯固めの構造があって幼児に安全性のある噛み機能を提供するのである。その中において、固体形態の歯固めは軟質のシリコンを使って型で製作することによって直接に所定の形状の歯固めを形成させるものであり、液体形態の歯固めは軟質のシリコンを使って中に受容スペースのある薄膜体を製作してから薄膜体の受容スペースに80%〜90%の比例の水を入れると、水の液体が受容スペースの余った空間内で流動効果を生じさせる液体形態の歯固めになるのであり、このような二種類の違った型式の歯固めを選択に供することができるし、更に軟質シリコンの持つ柔らかい撓み性を利用して噛むとき快適になる一方、変形しない使用効果を収めるのである。
【手続補正５】
【補正対象書類名】明細書
【補正対象項目名】０００３
【補正方法】変更
【補正の内容】
【０００３】
イ、前記の従来知られた歯固めの構造では固体形態または液体形態の構造に問わず、構造・成型の上では只幼児の手に取る利便さを考えて作ったり幼児の注意をひきつけるために可愛い造形にしたりしたものだけであるので、常に不意または不注意で幼児に捨てられることになるのである。それは歯固めが汚くなることをもたらす外、更に肉眼で見えない細菌が付いたら病気の種になるので実に親たちがおろそかにしがちのところである。
ロ、幼児が気のままに捨てたり親たちが妥当にしまっていなかったりするため、従来の歯固めはよく紛失になったりすることをもたらし、繰り返した購買による経済的浪費が問題になる一方、即時に幼児の使用に提供できる利便さに乏しいため、幼児がよくなき騒ぎ出すという欠点をもたらす。
ハ、軟質シリコンは噛まれると変形が起こらなくても万が一、鋭い物に接触したりすると気づきにくい破損が生じやすくなり、液体形態の歯固めの場合はそれによって漏洩になって幼児が水の液体を飲んだり水の液体が漏れたりするトラブルをもたらしやすいのである。
【手続補正６】
【補正対象書類名】明細書
【補正対象項目名】０００４
【補正方法】変更
【補正の内容】
【０００４】
イ、本考案では歯固めの中孔の相違の規格を利用して成型させるため、中孔による拘束固定を通して任意に幼児が常用する品物に結合して使用できるため、歯固めの応用機能を一層多様化にさせながら実用効果を高めるのである。
ロ、本考案の構造では有効に各種の応用への組合わせを利用して歯固めが幼児に噛まれるとの単一の使用効果を提供するだけではなく、更に結合固定によって当該品物の使用機能を向上させることもできるので一層実用性を有するものになる。
請求項１の本考案は、軟質のシリコンで作られた歯固めであって、その表面に突出状の或いは窪み状の立体模様を形成させ、また中心位置に適当な規格の中孔を形成し、該中孔を幼児の常用する品物の主体の外周または適当な位置に弾性的に固着するように構成したことを特徴とする。歯固めを独立に使用可能にさせたり、中孔の持つ弾性拘束の働きを利用して幼児の常用する品物の主体の外周または適当な位置に合せて、偏移しない固着で組立てる応用さも派生でき、簡易に各種の品物と結合して其々違う利用性が完成できるため、歯固めの多機能な使用への強化及び品物の応用効果への向上など実用的な目的を実現させることができる。
請求項２の本考案は、上記請求項１において、上記幼児の常用する品物が、注射器式の薬を飲ませる器であって、その筒体の外周に上記中孔を係合せしめて、弾性的に固着するように構成したことを特徴とする。歯固めの唇を遮る働きを利用して薬飲ませる器を一層快適で安全に使用できる応用目的を実現できる。
請求項３の本考案は、上記請求項１において、上記幼児の常用する品物が哺乳瓶であって、その瓶口の孔径に上記中孔を係合せしめて、哺乳瓶の蓋により固着するように構成したことを特徴とする。歯固めの有する滑り抵抗を利用して幼児が安定に瓶を手に取る効果がある。
請求項４の本考案は、上記請求項１において、上記幼児の常用する品物が哺乳瓶であって、その胴の孔径に上記中孔を係合せしめて、哺乳瓶に固着するように構成したことを特徴とする。哺乳瓶の底部の重量が増えることで、空瓶状態の哺乳瓶が傾倒したり衝突したりし難くなってガラスの哺乳瓶を使用する安全さを高める目的を実現できる。
請求項５の本考案は、上記請求項１において、外観・形状が任意の幾何形状の構造であることを特徴とする。
請求項６の本考案は、上記請求項１において、外観・形状がアニメ造形の模様または形状であることを特徴とする。
請求項７の本考案は、上記請求項１において、外観・形状が一個以上の模様からなることを特徴とする。